(57)【要約】【課題】着脱可能に取り付けることができ、一対のスライダーが互いに対向して取り付けられた状態で、簡単な操作で連結し防犯機能を持たせ、連結解除も容易に行うことができるスライドファスナー用連結具を提供する。【解決手段】合成樹脂で一体に成形され、スライダー１８の胴体２０の上翼板２０ａに取り付けられる上部３２と、胴体２０の下翼板２０ｂに取り付けられる下部３８と、上部３２と下部３８を連結する連結部３６を備える。連結部３６は、上部３２と下部３８の、一方向の側縁部３２ａ，３８ｃに連続して設けられ、側縁部３２ａ，３８ｃは、スライダー１８に取り付けられた状態で、噛合したファスナーエレメント１４が分離して出てくる側に位置する。上部３２の側縁部３２ａ、下部３８の側縁部３８ｃ、又は連結部３６には、側縁部３２ａ，３８ｃ同士を当接させた状態で、互いを着脱可能に連結する係合部４４，７４と被係合部４６，８８を備える。【選択図】図１
2020074939.tif 000002
【特許請求の範囲】
【請求項１】
部材の開閉を可能にするファスナーテープ（１２）とファスナーエレメント（１４）を有するファスナ本体（１６）に配置された一対のスライダー（１８）に取り付けられ、前記一対のスライダー（１８）を着脱可能に連結させるスライドファスナー用連結具（１０）において、
前記スライドファスナー用連結具（１０）は、各部が連続して合成樹脂で一体に成形され、前記スライダー（１８）の胴体（２０）の上翼板（２０ａ）に取り付けられる上部（３２）と、前記スライダー（１８）の前記胴体（２０）の下翼板（２０ｂ）に取り付けられる下部（３８）と、前記上部（３２）と前記下部（３８）を連結する連結部（３６）とを備え、
前記連結部（３６）は、前記上部（３２）と前記下部（３８）の、一方向の側縁部（３２ａ，３８ｃ）に連続して設けられ、前記側縁部（３２ａ，３８ｃ）は、前記スライダー（１８）に取り付けられた状態で、噛合した前記ファスナーエレメント（１４）が分離して出てくる前側に位置し、
前記上部（３２）、前記下部（３８）、及び前記連結部（３６）の少なくとも一つには、前記スライダー（１８）に他の機能を付加する機能部材が設けられていることを特徴とするスライドファスナー用連結具。
【請求項２】
部材の開閉を可能にするファスナーテープ（１２）とファスナーエレメント（１４）を有するファスナ本体（１６）に配置された一対のスライダー（１８）に取り付けられ、前記一対のスライダー（１８）を着脱可能に連結させるスライドファスナー用連結具（１０）において、
前記スライドファスナー用連結具（１０）は、各部が連続して合成樹脂で一体に成形され、前記スライダー（１８）の胴体（２０）の上翼板（２０ａ）に取り付けられる上部（３２）と、前記スライダー（１８）の前記胴体（２０）の下翼板（２０ｂ）に取り付けられる下部（３８）と、前記上部（３２）と前記下部（３８）を連結する連結部（３６）とを備え、
前記連結部（３６）は、前記上部（３２）と前記下部（３８）の、一方向の側縁部（３２ａ，３８ｃ）に連続して設けられ、前記側縁部（３２ａ，３８ｃ）は、前記スライダー（１８）に取り付けられた状態で、噛合した前記ファスナーエレメント（１４）が分離して出てくる前側に位置し、
前記上部（３２）の前記側縁部（３２ａ）、前記下部（３８）の前記側縁部（３８ｃ）、及び前記連結部（３６）の少なくとも一つには、前記一対のスライドファスナー用連結具（１０）が前記側縁部（３２ａ，３８ｃ）同士を当接させた状態で互いを着脱可能に連結する係合部（４４，７４）及び／又は被係合部（４６，８８）が設けられていることを特徴とするスライドファスナー用連結具。
【請求項３】
前記上部（３２）には、前記スライダー（１８）の前記上翼板（２０ａ）をわずかな隙間を有して収容して取り付ける透孔（３４）が前記上部（３２）を貫通して設けられ、前記透孔（３４）の形状は、前記上翼板（２０ａ）の、前記ファスナーエレメント（１４）が分離して出てくる前側が、前記連結部（３６）が設けられた前記側縁部（３２ａ，３８ｃ）側に位置する請求項１又は２記載のスライドファスナー用連結具。
【請求項４】
前記上部（３２）の、前記下部（３８）に対面する下側面（３２ｅ）には、前記側縁部（３２ａ）とは反対側の側縁部（３２ｂ）に、前記透孔（３４）に連通し前記上翼板（２０ａ）の一部を収容する凹部（３７）が形成され、前記上翼板（２０ａ）を保持する請求項３記載のスライドファスナー用連結具。
【請求項５】
前記上部（３２）の前記透孔（３４）は、前記上部（３２）と一体に形成されたカバー部（６２，６６）で覆われている請求項１又は２記載のスライドファスナー用連結具。
【請求項６】
前記係合部は、外側に突出する係合凸部（４４）であり、前記被係合部は、前記係合凸部（４４）が収容されて係合される係合溝部（４６）であり、
前記係合凸部（４４）と前記係合溝部（４６）は、１個の前記スライドファスナー用連結具（１０）に１個ずつ各々離間して設けられ、
前記係合凸部（４４）と前記係合溝部（４６）の位置は、一対の前記スライドファスナー用連結具（１０）を、前記上部（３２）と前記下部（３８）を合わせて前記側縁部（３２ａ，３８ｃ）同士を対向させた状態で一方の前記スライドファスナー用連結具（１０）の前記係合凸部（４４）が他方の前記スライドファスナー用連結具（１０）の前記係合溝部（４６）に対向して係合される位置に設けられている請求項１又は２記載のスライドファスナー用連結具。
【請求項７】
前記係合凸部（４４）は、前記上部（３２）の前記側縁部（３２ａ）、前記下部（３８）の前記側縁部（３８ｃ）、及び前記連結部（３６）の少なくともいずれかから外側に突出する円筒形状であり、突出方向の途中から先端部分は径が大きい大径部（４４ａ）が設けられている。前記係合溝部（４６）は、前記係合凸部（４４）の前記大径部（４４ａ）よりも少し小さいものである請求項６記載のスライドファスナー用連結具。
【請求項８】
前記係合部は、前記一対のスライドファスナー用連結具（１０）のうち、一方の前記スライドファスナー用連結具（１０）に設けられ外側に突出する雄形部脚部（７４）であり、前記被係合部（８８）は、他方の前記スライドファスナー用連結具（１０）に設けられ前記雄形部脚部（７４）が挿入される収容空間（８６）と前記収容空間（８６）に設けられ前記雄形部脚部（７４）が係合されるものである請求項１又は２記載のスライドファスナー用連結具。
【発明の詳細な説明】
【技術分野】
【０００１】
この発明は、部材の開閉を可能にするスライドファスナーのスライダーに取り付けて、スライダー同士を互いに連結したり、スライダーに他の機能を付加するスライドファスナー用連結具に関する。
【背景技術】
【０００２】
従来、部材を開閉するスライドファスナーには、ファスナーチェーンを開閉するスライドファスナー用のスライダーが一対設けられ、一対のスライダーが互いに連結可能であり、連結させた状態を保持することができるものがある。このような連結可能なスライダーを有したスライドファスナーは、例えば鞄の開口部等に取り付けられ、防犯のため開けられることを防ぐことができる。
【０００３】
特許文献１に開示されているスライドファスナー用スライダーとスライドファスナーは、エレメントを係合したり外したりするためにスライドファスナーのエレメントに摺動自在に配されているスライダー胴体と、スライダー胴体に取外し自在に取り付けられ、第１のスライダーをこれと協動する第２のスライダーにラッチ係合させるためのラッチ係合手段を備えたラッチ部とからなるスライダーである。ラッチ係合手段は、収容部と、この収容部にラッチ係合するラッチ部材である。ラッチ部とスライダー胴体は、互いに係止する第１係止手段と第２係止手段を備え、第１係止手段は弾性的に屈曲する舌状部であり、第２係止手段は舌状部が係止される傾斜突起部である。
【０００４】
特許文献２に開示されているスライドファスナーは、スライダーを、これと協動するスライダーに係合させるために供せられるラッチ部とから成り、スライダー胴体の下側には突起部が設けられており、ラッチ部には突起部が挿入可能となる凹陥部が形成されており、スライダー胴体の突起部をラッチ部の凹陥部に挿入することによってラッチ部は、スライダー胴体の下側に取り付けられる。
【０００５】
特許文献３に開示されているスライドファスナーのスライダーカバー及びスライダーカバー付きスライドファスナーは、スライダーに加工を施すことなく簡単にスライダーカバーを取り付け、スライダーに別機能を付加するものである。別機能として、生地の噛み込み防止、冷感防止、蝶棒の誘い込み等である。スライダーカバーは、上下方向に離間して平行に配置される上部材及び下部材と、上部材と下部材を連結する連結柱とを備え、上部材は、スライダーの上翼板の少なくとも一部を収容する収容部を有している。収容部は、上部材の上下面を貫通した孔部であり、孔部を形成するための内側面を有し、内周面の一部は、上翼部の側面の一部と接触するように上翼部を収納する。収納部の幅方向側に、カバー側フランジが設けられ、カバー側フランジは、上部材の幅方向両側壁に沿って下方に向けて突出する。
【先行技術文献】
【特許文献】
【０００６】
【特許文献１】特開２００７−４４５３５号公報
【特許文献２】特許第４６１４１４０号公報
【特許文献３】特許第６０３５３４２号公報
【発明の概要】
【発明が解決しようとする課題】
【０００７】
上記背景技術の場合、特許文献１に開示されているスライドファスナー用スライダーとスライドファスナーは、ラッチ部を取り付ける係止手段が設けられた専用スライダーが必要である。専用スライダーを製造するため、コストが高くなる。さらに、ラッチ部は加締め時に取り付けるため外すことができず、修理しづらい構成であり、使用者が状況に合わせてラッチ部をスライダーから取り外すことができず、不便である。特許文献２に開示されているスライドファスナーも、ラッチ部を取り付ける突起部が設けられた専用スライダーが必要である。ラッチ部は、スライダーの底面の一部との取り付けであるため、係止する面積が小さく、スライダーから外れやすい。一方、特許文献３に開示されているスライドファスナーのスライダーカバー及びスライダーカバー付きスライドファスナーは、別機能として、生地の噛み込み防止、冷感防止、蝶棒の誘い込み等があるが、一対のスライダー同士を連結する機能は考えられていない。また、スライダーカバーが２部材から成るものが開示されているが、構造が複雑で面倒であり、２部材の間に隙間があくことがある。
【０００８】
この発明は、上記背景技術の問題点に鑑みてなされたものであり、既存のスライダーに容易に着脱可能に取り付けることができ、簡単な操作で一対のスライダーを互いに連結可能にしたり、スライダーに容易に他の機能を付加したりすることができるスライドファスナー用連結具を提供することを目的とする。
【課題を解決するための手段】
【０００９】
本発明は、部材の開閉を可能にするファスナーテープとファスナーエレメントを有するファスナ本体に配置された一対のスライダーに取り付けられ、前記一対のスライダーを着脱可能に連結させるスライドファスナー用連結具であって、前記スライドファスナー用連結具は、適度な弾性を有する合成樹脂で各部が連続して一体に成形され、前記スライダーの胴体の上翼板に取り付けられる上部と、前記スライダーの前記胴体の下翼板に取り付けられる下部と、前記上部と前記下部を連結する連結部とを備えている。前記連結部は、前記上部と前記下部の、一方向の側縁部に連続して設けられ、前記スライダーに取り付けた状態で、噛合した前記ファスナーエレメントが分離して出てくる前側の側縁部に設けられている。さらに、前記上部、前記下部、及び前記連結部の少なくとも一つには、前記スライダーに他の機能を付加する機能部材が設けられている。
【００１０】
また本発明は、部材の開閉を可能にするファスナーテープとファスナーエレメントを有するファスナ本体に配置された一対のスライダーに取り付けられ、前記一対のスライダーを着脱可能に連結させるスライドファスナー用連結具であって、前記スライドファスナー用連結具は、適度な弾性を有する合成樹脂で各部が連続して一体に成形され、前記スライダーの胴体の上翼板に取り付けられる上部と、前記スライダーの前記胴体の下翼板に取り付けられる下部と、前記上部と前記下部を連結する連結部とを備えている。前記連結部は、前記上部と前記下部の、一方向の側縁部に連続して設けられ、前記スライダーに取り付けた状態で、噛合した前記ファスナーエレメントが分離して出てくる前側の側縁部に設けられている。さらに、前記上部、前記下部の前記連結部が設けられた前記側縁部、及び前記連結部の少なくとも一つには、前記一対のスライドファスナー用連結具が前記側縁部同士を当接させた状態で互いを着脱可能に連結する係合部及び／又は被係合部が設けられている。
【００１１】
前記スライドファスナー用連結具は、弾性変形させて連結部とは反対側から、前記上部と前記下部の間に前記スライダーを入れ、弾性変形を復元させると前記スライダーの前記胴体は前記上部と前記下部の間に収容され、前記胴体の前記上翼板が前記上部に収容されて係止され、取り付けられる。
【００１２】
前記上部には、前記スライダーの前記上翼板をわずかな隙間を有して収容して取り付ける透孔が前記上部を貫通して設けられ、前記透孔の形状は、前記上翼板の、前記ファスナーエレメントが分離して出てくる前側が、前記連結部が設けられた前記側縁部側に位置するものである。
【００１３】
前記上部の、前記下部に対面する下側面には、前記側縁部とは反対側の側縁部に、前記透孔に連通し前記上翼板の一部を収容する凹部が形成されている。これにより、前記上翼板を保持し、前記透孔から外れることを防ぐ。
【００１４】
前記上部の前記透孔は、前記上部と一体に形成されたカバー部で覆われている。カバー部は、前記上部の上面から三角形状に突出し手で摘まみやすい持手形カバー部でもよく、平坦な半球形状であり手で押しやすい平坦形カバー部でもよい。
【００１５】
前記係合部は、外側に突出する係合凸部であり、前記被係合部は、前記係合凸部が収容されて係合される係合溝部である。前記係合凸部と前記係合溝部は、１個の前記スライドファスナー用連結具に１個ずつ各々離間して設けられている。前記係合凸部と前記係合溝部の位置は、同形状の一対のスライドファスナー用連結具を、前記上部と前記下部を合わせて前記側縁部同士を対向させた状態で一方の前記スライドファスナー用連結具の前記係合凸部が他方の前記スライドファスナー用連結具の前記係合溝部に対向して係合される位置に設けられている。
【００１６】
前記係合凸部は、前記上部の前記側縁部、前記下部の前記側縁部、及び前記連結部の少なくともいずれかから外側に突出する円筒形状であり、突出方向の途中から先端部分は径が大きい大径部が設けられている。前記係合溝部は、前記係合凸部の前記大径部よりも少し小さいものであり、前記係合凸部が押し付けられた時に弾性変形して広がり前記係合凸部が通過可能となり、弾性変形が復元した時は前記係合凸部の前記大径部が係合されて引抜不可となる。
【００１７】
前記係合部は、前記一対のスライドファスナー用連結具のうち、一方の前記スライドファスナー用連結具に設けられ外側に突出する雄形部脚部であり、前記被係合部は、他方の前記スライドファスナー用連結具に設けられ前記雄形部脚部が挿入される収容空間と前記収容空間に設けられ前記雄形部脚部が係合されるものである。
【発明の効果】
【００１８】
本発明のスライドファスナー用連結具は、既存のスライダーに着脱可能に取り付けることができ、一つのファスナ本体に一対のスライダーが互いに対向して取り付けられた状態で、簡単な操作で一対のスライダーを互いに連結して防犯機能を有し、不要な場合は簡単な操作で連結を解除することができる。スライドファスナー用連結具は、弾性によりスライダーへ簡単で確実に取り付けることができ、使用者が取付けと取外しを容易に行うことができ、便利である。
【図面の簡単な説明】
【００１９】
【図１】この発明の第一実施形態のスライドファスナー用連結具の連結を解除した使用状態を示す斜視図である。
【図２】この発明の第一実施形態のスライドファスナー用連結具の連結した使用状態を示す斜視図である。
【図３】この発明の第一実施形態のスライドファスナー用連結具の平面図（ａ）、正面図（ｂ）、右側面図（ｃ）、底面図（ｄ）である。
【図４】この発明の第一実施形態のスライドファスナー用連結具の下部側から見た斜視図である。
【図５】この発明の第一実施形態のスライドファスナー用連結具のスライダーに取り付ける工程を示す縦断面図である。
【図６】この発明の第一実施形態のスライドファスナー用連結具のスライダーに取り付けた状態を示す縦断面図である。
【図７】この発明の第二実施形態のスライドファスナー用連結具の連結を解除した使用状態を示す斜視図である。
【図８】この発明の第二実施形態のスライドファスナー用連結具の平面図（ａ）、正面図（ｂ）、右側面図（ｃ）、底面図（ｄ）である。
【図９】この発明の第二実施形態のスライドファスナー用連結具の下部側から見た斜視図である。
【図１０】この発明の第三実施形態のスライドファスナー用連結具の平面図（ａ）、正面図（ｂ）、右側面図（ｃ）、底面図（ｄ）である。
【図１１】この発明の第四実施形態のスライドファスナー用連結具の連結を解除した使用状態を示す斜視図である。
【図１２】この発明の第四実施形態のスライドファスナー用連結具の平面図（ａ）、正面図（ｂ）、右側面図（ｃ）、底面図（ｄ）である。
【図１３】この発明の第五実施形態のスライドファスナー用連結具の連結した使用状態を示す斜視図である。
【図１４】この発明の第五実施形態のスライドファスナー用連結具の雄部材の平面図（ａ）、正面図（ｂ）、右側面図（ｃ）、底面図（ｄ）である。
【図１５】この発明の第五実施形態のスライドファスナー用連結具の雌部材の平面図（ａ）、正面図（ｂ）、右側面図（ｃ）、底面図（ｄ）である。
【発明を実施するための形態】
【００２０】
以下、この発明のスライドファスナー用連結具の実施形態について図面に基づいて説明する。図１〜図６はこの発明の第一実施形態を示すもので、この実施形態のスライドファスナー用連結具１０は、ファスナーテープ１２にファスナーエレメント１４が対向して設けられたファスナ本体１６に取り付けられたスライダー１８に、着脱可能に取り付けられるものである。
【００２１】
ここでスライダー１８について説明する。スライダー１８は、ファスナ本体１６のファスナーエレメント１４を開閉する胴体２０と、胴体２０を操作するための引手２２と、胴体２０の上面に引手２２を保持する引手取付部２４とを備えている。引手取付部２４は、スライダー１８の摺動方向に延びた部材であり、スライダー１８の上翼板２０ａ上から突出してコの字形に折り曲げられて先端は胴体２０の上翼板２０ａ上に位置している。引手２２の一方の端部には取付孔部２３が形成され、取付孔部２３に引手取付部２４が挿通されて胴体２０に取り付けられる。引手２２は、スライダー１８の摺動方向、つまりファスナ本体１６の長手方向に対して平行な方向に、回動可能に軸支される。
【００２２】
胴体２０は、ファスナ本体１６のファスナーエレメント１４を上下から挟んで取り付ける一対の上翼板２０ａと下翼板２０ｂが設けられ、上翼板２０ａと下翼板２０ｂの間には連結柱２６が設けられている。上翼板２０ａと下翼板２０ｂの間の空間は、ファスナーエレメント１４が通過する案内路２８である。案内路２８は、ファスナーエレメント１４を分離する側に連結柱２６が設けられて、ファスナーエレメント１４が２方向に分かれ、ファスナーエレメント１４が噛合して出てくる側では、上翼板２０ａから下翼板２０ｂ側に突出した一対のガイド縁部３０により、上翼板２０ａと下翼板２０ｂとともに１つの空間を形成し、Ｙ字形になっている。なお、胴体２０の、ファスナーエレメント１４が分離して出てくる側を前側とし、ファスナーエレメント１４が噛合して出てくる側を後側とする。ガイド縁部３０は、上翼板２０ａ及び下翼板２０ｂに対して略直角に位置する壁であり、下翼板２０ｂに対向した先端部分は、ファスナ本体１６のファスナーテープ１２の厚みより少し広い幅のスリットを有して対向している。ガイド縁部３０は、一対のファスナーエレメント１４の列の、互いに離れた側面の外側に位置し、胴体２０の摺動により一対のファスナーエレメント１４をガイドして噛合させる。
【００２３】
次に、スライドファスナー用連結具１０について説明する。スライドファスナー用連結具１０は、適度な弾性を有する熱可塑性樹脂等の合成樹脂により、各部が連続して一体に成形されている。スライドファスナー用連結具１０は、変形した矩形の板状の上部３２が設けられ、互いに平行な一対の直線上に位置した側縁部３２ａ，３２ｂを有し、側縁部３２ａは、側縁部３２ｂよりも少し長い。側縁部３２ａ，３２ｂの両端部同士を結ぶ一対の側縁部３２ｃ，３２ｄは、側縁部３２ａよりも少し長く、互いの間隔は、側縁部３２ａ側が広く、側縁部３２ｂに近づくにつれて狭くなっている。上部３２の厚みは、側縁部３２ａ側が少し厚く、側縁部３２ｂに近づくにつれて徐々に薄くなる。上部３２の厚み方向の一方の、下側面３２ｅは凹凸の無い平面で形成されている。反対側の上側面３２ｇは、傾斜面や曲面や平面からなる。
【００２４】
上部３２の中央には、スライダー１８の胴体２０が嵌合される透孔３４が、厚み方向に貫通して形成されている。透孔３４の形状は、側縁部３２ａに近い部分が側縁部３２ａに対して平行な短い直線部３４ａであり、反対側の側縁部３２ｂに近い部分が側縁部３２ｂに対して平行な長い直線部３４ｂである。直線部３４ａと直線部３４ｂの端部同士を結ぶ一対の側縁部３４ｃ，３４ｄは、中心部分は互いに離れる方向に膨出する曲線状であり、直線部３４ｂに連続する部分は、直線部３４ｂに対して直角に交差する直線となる。これは、透孔３４に嵌合されるスライダー１８の胴体２０の形状に沿うものであり、胴体２０の、ファスナーエレメント１４が噛合して出てくる後側が直線部３４ｂに一致する。
【００２５】
下側面３２ｅの、側縁部３２ｂ付近の部分は、側縁部３２ｂに近づくほど厚みが徐々に薄くなる傾斜面３５が設けられている。また透孔３４の直線部３４ｂの、側縁部３２ｂ側の部分は、下側面３２ｅ側が、厚みが半分程度になるように切り欠かれて凹部３７となる。凹部３７は、下側面３２ｅに対して平行な面３７ａを有している。
【００２６】
上部３２の、側縁部３２ａに隣接する部分の下側面３２ｅには、下側面３２ｅから略直角に下方に延出する四角柱状の連結部３６が設けられ、連結部３６は、側縁部３２ａに対して並行方向に太い矩形の断面形状である。連結部３６の下端部には、下側面３２ｅに対して略平行な板状の下部３８が連続して設けられている。下部３８は、半円形状の一定厚みの板体であり、連結部３６に連続する部分が半円の円周の中心であり、連結部３６とは反対側の部分は直径に位置する直線の側縁部３８ａである。上部３２の下側面３２ｅに対面する上側面３８ｂの、側縁部３８ａ付近の部分は、側縁部３８ａに近づくほど厚みが徐々に薄くなる傾斜面４０が設けられている。上側面３８ｂには、上側面３８ｂから僅かに突出する突起４２が設けられている。突起４２は、上側面３８ｂに対して平行な形状が、側縁部３８ａに対して直角な方向に長い長丸であり、上側面３８ｂの中心を挟んで両側に１個ずつ設けられている。
【００２７】
上部３２の側縁部３２ａに位置し、厚み方向に沿う前面３２ｆには、一対のスライドファスナー用連結具１０を着脱可能に連結する係合部である係合凸部４４が設けられている。係合凸部４４は、前面３２ｆに対して略直角方向でありスライダー１８の移動方向に突出する円筒形状であり、突出方向の途中から先端部分は径が大きい大径部４４ａが設けられている。係合凸部４４は、前面３２ｆの、側縁部３２ｄに近い端部の近傍に位置している。
【００２８】
前面３２ｆの、側縁部３２ｄと反対側の側縁部３２ｃに近い端部の近傍には、他方のスライドファスナー用連結具１０の係合凸部４４が差し込まれて係合される被係合部である係合溝部４６が設けられている。係合溝部４６は、上部３２の内側にくぼんで形成され、前面３２ｆに形成された形状は、半円形状の透孔であり、この透孔から細いスリットが下側面３２ｅに略直角に延出し連通している。半円形状の透孔の大きさは係合凸部４４の大径部４４ａより少し小さい。
【００２９】
上部３２の下側面３２ｅには、側縁部３２ａの両端部付近に、肉ひけ防止等のための凹部４８，５０が各々設けられている。凹部４８は、係合凸部４４に近い部分にあり、凹部５０は係合溝部４６に近い部分にあり係合溝部４６が連通している。凹部５０の、下側面３２ｅに対して平行な形状は変形した矩形で一定であり、凹部４８よりも少し大きい。凹部５０の周囲は弾性変形しやすい薄い壁となり、これにより係合溝部４６は弾性変形して広がり易い。係合凸部４４が係合溝部４６に押し付けられた時に弾性変形して係合凸部４４が通過可能となる。弾性変形が復元した時は、係合凸部４４の大径部４４ａが係合溝部４６の周辺部分の薄い壁部に係合されて引抜不可となる。凹部５０は、係合凸部４４を収容する十分な大きさを有している。凹部５０の、下側面３２ｅに交差する内周面には、前面３２ｆから離れた位置に、段部５２が３方向から凹部５０の中心に向って突出して形成されている。
【００３０】
次に、スライドファスナー用連結具１０の使用方法について説明する。スライドファスナー用連結具１０は、前述のファスナ本体１６のスライダー１８に弾性変形により取り付ける。図５に示すように、スライドファスナー用連結具１０を、スライダー１８のファスナーエレメント１４が噛合していない前側に保持し、下部３８の側縁部３８ａを、傾斜面４０でスライダー１８の下翼板２０ｂに当てながら重ね、上部３２を上翼板２０ａの引手取付部２４に当て、強く押し付けて弾性変形させて上部３２と下部３８の間隔を広げる。引手取付部２４が上部３２の透孔３４に位置したときに弾性変形が復元し、図６に示すように、スライダー１８へのスライドファスナー用連結具１０の取り付けが完了する。スライドファスナー用連結具１０の透孔３４の直線部３４ｂは、スライダー１８の引手取付部２４の、ファスナーエレメント１４が噛合して出てくる後側に当接する。透孔３４の直線部３４ａと、直線部３４ａと連通する連結部３６は、引手取付部２４の前側に当接する。これにより、スライドファスナー用連結具１０はスライダー１８に対して前後方向に移動することが無い。透孔３４の側縁部３４ｃ，３４ｄは、上翼板２０ａの前後方向に交差する左右方向の側縁部に対面し、左右方向に移動することが無い。上部３２の、透孔３４に連続する凹部３７には、上翼板２０ａの後側の端部が収容され凹部３７の上側の面３７ａは上翼板２０ａに対面し、下部３８は下翼板２０ｂに対面し、上下方向に移動することが無い。
【００３１】
スライダー１８の引手取付部２４には引手２２が取り付けられ、スライドファスナー用連結具１０の透孔３４から外側に引き出され、引手２２を保持してスライダー１８の移動操作が可能である。引手２２は、スライドファスナー用連結具１０の透孔３４により、スライドファスナー用連結具１０をスライダー１８に取り付ける際の邪魔にならない。
【００３２】
図１に示すように、このファスナ本体１６には一対のスライダー１８が２個取り付けられ、互いにファスナーエレメント１４が噛合しない前側が対向している。各スライダー１８にスライドファスナー用連結具１０を各々取り付け、前面３２ｆ同士が対向した状態で使用される。従って、一方のスライドファスナー用連結具１０の係合凸部４４が、他方のスライドファスナー用連結具１０の係合溝部４６に対向する。
【００３３】
使用に際して、一対のスライダー１８を近づけスライドファスナー用連結具１０の前面３２ｆ同士を当接させると、係合凸部４４が係合溝部４６に各々差し込まれ、係合溝部４６の周囲が弾性変形して係合溝部４６が広がり、係合凸部４４の大径部４４ａが通過可能となる。大径部４４ａが通過して凹部５０に収容された後は、弾性変形が復元し、大径部４４ａが係合されて引抜不可となる。これにより、図２に示すように一対のスライダー１８は互いに連結される。一方のスライダー１８をファスナ本体１６に沿って移動させても他方のスライダー１８が協動するため、ファスナーエレメント１４の噛合が大きく開口しない。ファスナーエレメント１４の噛合を解除する時は、一対のスライダー１８を一定以上の強い力で引き離し、係合溝部４６の周囲を弾性変形させて係合凸部４４の大径部４４ａを通過させて抜き、連結を解除する。そして、一対のスライダー１８を互いに離れる方向に移動させると、一対のスライダー１８の間に、ファスナーエレメント１４の噛合が解除された開口部が形成される。なお、スライドファスナー用連結具１０が不要な時は、上部３２の側縁部３２ｂ側を引き起こして弾性変形させ、引手取付部２４を透孔３４から出すことにより、簡単に外れる。
【００３４】
この実施形態のスライドファスナー用連結具１０によれば、スライダー１８の引手２２を保持して一対のスライダー１８を近づけて係合凸部４４を係合溝部４６に係合することができ、引手２２を保持して一対のスライダー１８を引き離して係合凸部４４と係合溝部４６の係合を解除することができ、係合と係合解除の操作が容易である。さらに、簡単な構造でファスナ本体１６のスライダー１８に弾性変形により取り付けることができる。また不要な時は簡単に外すことができるとともに、既存のスライダー１８に、後付けすることができ、スライダー１８の形状を特別に専用の形状にする必要がなく、コストが掛からない。ファスナ本体１６に取り付けられた一対のスライダー１８が当接させるだけの簡単な操作で互いに連結することができ、一対のスライダー１８を協動させて防犯対策とすることができる。ファスナ本体１６を開くときは、強い力で一対のスライダー１８を引き離すだけで連結を解除することができ、連結を解除したスライダー１８を互いに離れる方向に移動させて、ファスナ本体１６を開くことができる。上部３２と下部３８には傾斜面３５，４０が形成され、スライダー１８の胴体２０の上翼板２０ａと下翼板２０ｂに傾斜面３５，４０が当接すると弾性変形する方向に力が働き、簡単に弾性変形させてスライダー１８に取り付けることができる。特に傾斜面４０をスライダー１８の下翼板２０ｂに最初に当接させると、弾性変形のきっかけが得られ、取り付けやすい。スライダー１８への取付と、一対のスライダー１８同士の連結は、いずれも弾性変形により行われ、治具やネジ等が不要であり、簡単である。使用者が、状況に合わせて自由にスライドファスナー用連結具１０を取り外すことができて便利であり、またファスナ本体１６の修理も可能である。スライドファスナー用連結具１０は一部材であり、部品管理も容易である。さらに、スライダー１８の上翼板２０ａを上部３２が一周して接触して取り付けられ、下翼板２０ｂには下部３８が重ねられて取り付けられ、スライダー１８との取付面積が広く、取付強度が高い。下部３８には突起４２が設けられているため、突起４２が高い圧力で下翼板２０ｂに当接することができる。
【００３５】
次にこの発明の第二実施形態について図７〜図９に基づいて説明する。なお、ここで、上記実施形態と同様の部材は同様の符号を付して説明を省略する。この実施形態のスライドファスナー用連結具６０は、適度な弾性を有する合成樹脂で一体に成形されている。スライドファスナー用連結具６０は、上部３２と下部３８が、連結部３６で連結して設けられている。
【００３６】
上部３２の中央には、スライダー１８が嵌合される透孔３４が厚み方向に貫通して形成されている。上部３２の上側面３２ｇには、透孔３４を覆って持手形カバー部６２が設けられている。持手形カバー部６２は、上部３２の上側面３２ｇから厚み方向に突出するドーム形であり、上部３２と一体に成形されている。持手形カバー部６２の、上側面３２ｇに連続し上方に突出する上面６２ａの形状は、先端部分は側縁部３２ａに対して略直角な前後方向に延びる稜線となり、稜線の周囲は、上側面３２ｇに向かう傾斜面となる。これにより、持手形カバー部６２の上面６２ａの形状は、図８（ａ）（ｄ）に示すように側縁部３２ａまたは側縁部３２ｂから見た形状は鋭角の三角形状となり、図８（ｃ）に示すように側縁部３２ｄから見た形状は台形状となる。これは側縁部３２ｃと側縁部３２ｄの両側から手で摘まみやすい形状である。持手形カバー部６２の、下側面３２ｅに連続する下面６２ｂは、図９に示すように、下側面３２ｅに対して平行に位置する平面であり、透孔３４を閉鎖している。下面６２ｂの中央には、スライドファスナー用連結具６０を取り付けるスライダー１８の引手取付部２４が収容されるスライダー用凹部６２ｃが形成されている。スライダー用凹部６２ｃは、引手取付部２４が収容される十分な大きさを有している。
【００３７】
次に、スライドファスナー用連結具６０の使用方法について説明する。スライドファスナー用連結具６０は、第一実施形態と同様に、ファスナ本体１６のスライダー１８に弾性変形により取り付ける。ただし、この実施形態では、スライダー１８に引手２２は設けられていない。持手形カバー部６２の内側には、引手取付部２４が位置している。そして第一実施形態と同様に、ファスナ本体１６に一対のスライダー１８が２個取り付けられ、各スライダー１８にスライドファスナー用連結具６０を各々取り付け、前面３２ｆ同士が対向した状態で使用される。従って、一対のスライダー１８を近づけ前面３２ｆ同士を当接させると、係合凸部４４が係合溝部４６に差し込まれ、一対のスライダー１８は互いに連結される。一対のスライダー１８を一定以上の強い力で引き離すと、連結が解除される。スライドファスナー用連結具１０が不要な時は、上部３２の側縁部３２ｂ側を引き起こして弾性変形させ、簡単に外れる。
【００３８】
この実施形態のスライドファスナー用連結具６０によれば、上記実施の形態と同様の効果を有するものである。スライダー１８に引手２２を取り付ける必要がなく、持手形カバー部６２を保持して容易に移動させることができる。外観がシンプルですっきりとしたものである。
【００３９】
次にこの発明の第三実施形態について図１０に基づいて説明する。なお、ここで、上記実施形態と同様の部材は同様の符号を付して説明を省略する。この実施形態のスライドファスナー用連結具６４は、適度な弾性を有する合成樹脂で一体に成形されている。スライドファスナー用連結具６４は、上部３２と下部３８が、連結部３６で連結して設けられている。
【００４０】
上部３２の中央には、スライダー１８が嵌合される透孔３４が厚み方向に貫通して形成されている。上部３２の上側面３２ｇには、透孔３４を覆って平坦形カバー部６６が設けられている。平坦形カバー部６６は、上部３２の上側面３２ｇから厚み方向に突出するドーム形であり、上側面３２ｇと一体に成形されている。平坦形カバー部６６の、上側面３２ｇに連続し上方に突出する上面６６ａの形状は、平坦な半球形状であり、上部３２の図１０（ａ）（ｃ）に示すように側縁部３２ｄから見た形状は半周以下の円弧で形成され、図１０（ｃ）に示すように側縁部３２ｄから見た形状はそれよりも少し長い半周以下の円弧で形成されている。平坦形カバー部６６の、下側面３２ｅに連続する下面は、下側面３２ｅに対して平行に位置する平面であり、透孔３４を閉鎖している。下面の中央には、スライドファスナー用連結具６４を取り付けるスライダー１８の引手取付部２４が収容されるスライダー用凹部が形成されている。
【００４１】
スライドファスナー用連結具６４の使用方法は、第二実施形態と同様である。ただし、スライダー１８を移動させる時は、スライドファスナー用連結具６４の平坦形カバー部６６を上から押しながら動かす。
【００４２】
また、スライドファスナー用連結具６４の作用効果も、第二実施形態と同様である。ただし、平坦形カバー部６６が平坦であるため、他の部材に引っ掛かることが無く、また外観がすっきりする。
【００４３】
次にこの発明の第四実施形態について図１１、図１２に基づいて説明する。なお、ここで、上記実施形態と同様の部材は同様の符号を付して説明を省略する。この実施形態のスライドファスナー用連結具６５も、適度な弾性を有する熱可塑性樹脂等の合成樹脂で一体に成形されている。スライドファスナー用連結具６５は、上部３２と下部３８が、連結部３６で連結して設けられている。
【００４４】
下部３８の形状は、連結部３６に連続する側縁部３８ｃは、上部３２の側縁部３２ａに対して並行で、ほぼ同じ長さである。下部３８の側縁部３８ｃには、上部３２の前面３２ｆと同一の仮想面上に位置する前面３８ｆが連続して設けられている。この実施形態のスライドファスナー用連結具６５は、係合凸部４４と係合溝部４６は、第一実施形態とは異なり、上部３２の前面３２ｆには設けられておらず、下部３８の前面３８ｆに設けられている。スライドファスナー用連結具６５の係合凸部４４は、下部３８の前面３８ｆの、側縁部３２ｄに近い端部の近傍に位置している。前面３２ｆの、側縁部３２ｄと反対側の側縁部３２ｃに近い端部の近傍には、係合凸部４４が差し込まれて係合される係合溝部４６が設けられている。
【００４５】
下部３８の、上側面３８ｂと反対側の下側面３８ｅには、前面３８ｆの両端部近傍に、凹部４８，５０が各々設けられている。凹部４８は、係合凸部４４に近い部分にあり、凹部５０は係合溝部４６に近い部分にあり係合溝部４６が連通している。
【００４６】
次に、スライドファスナー用連結具６５の使用方法について説明する。スライドファスナー用連結具６５は、第一実施形態と同様に、ファスナ本体１６のスライダー１８に弾性変形により取り付ける。そして第一実施形態と同様に、ファスナ本体１６に一対のスライダー１８が２個取り付けられ、各スライダー１８にスライドファスナー用連結具６５を各々取り付け、前面３８ｆ同士が対向する。一対のスライダー１８を近づけ前面３８ｆ同士を当接させると、係合凸部４４が係合溝部４６に差し込まれ、一対のスライダー１８は互いに連結される。一対のスライダー１８を一定以上の強い力で引き離すと、連結が解除される。スライドファスナー用連結具６５が不要な時は、上部３２の側縁部３２ｂ側を引き起こして弾性変形させ、簡単に外れる。
【００４７】
この実施形態のスライドファスナー用連結具６５によれば、上記実施の形態と同様の効果を有するものである。係合凸部４４がファスナ本体１６の裏側に位置する下部３８に形成されているため、一対のスライドファスナー用連結具６５が連結していない状態で、ファスナ本体１６の表側から見て係合凸部４４が隠れるため、外観がシンプルですっきりとしたものである。
【００４８】
次にこの発明の第五実施形態について図１３〜図１５に基づいて説明する。なお、ここで、上記実施形態と同様の部材は同様の符号を付して説明を省略する。この実施形態のスライドファスナー用連結具６８は、互いに着脱可能に連結する雄部材７０と雌部材７２の、２部材から成る。
【００４９】
図１４は雄部材７０を示すものであり、透孔３４が形成された上部３２を有し、連結部３６を介して下部３８が設けられ、上部３２の前面３２ｆには、係合部である一対の雄形部脚部７４が設けられている。雄形部脚部７４は、前面３２ｆの、側縁部３２ｃ，３２ｄに交差する両端部に設けられ、前面３２ｆから離れる方向に所定長さで突出している。雄形部脚部７４の形状は、上部３２の厚み方向に薄い板体であり、基端部の幅が細く、突出方向の途中から先端部は幅が広く形成され、先端部は互いに近づくように僅かに湾曲している。雄形部脚部７４の厚みは、基端部から突出方向の途中までは、上部３２の厚みとほぼ同じであり、突出方向の途中では上下両方から切り欠かれたような平面である薄肉部７６が形成されて薄くなり、薄肉部７６よりも先端は、薄肉部７６から上下方向に厚く突出する係合突起７８が設けられている。係合突起７８は、上部３２よりも少し薄い。一対の雄形部脚部７４の互いに対面する側縁部には、係合突起７８が細く連続し、互いに対面する側縁部の長手方向の途中には、一対の雄形部脚部７４を連結するバネ部８０が設けられている。バネ部８０は湾曲して折り曲げられた棒体であり、一対の雄形部脚部７４を弾性変形可能に連結し、一対の雄形部脚部７４が互いに近づくように弾性変形した時に、反対に互いに離れる方へ付勢する。
【００５０】
図１５は雌部材７２を示すものであり、透孔３４が形成された上部３２を有し、連結部３６を介して下部３８が設けられている。前面３２ｆの、上側面３２ｇに連続する端部に、上側面３２ｇと面一に連続する薄い板状の上面部８２が外側に突出して設けられ、下側面３２ｅに連続する端部に、上面部８２と同形状の下面部８４が下側面３２ｅと面一に連続して設けられ、上面部８２と下面部８４の間の空間は雄部材７０の雄形部脚部７４が挿入され係合される収容空間８６となる。上面部８２と下面部８４の、前面３２ｆとは反対側の端部８２ａ，８４ａは、雄形部脚部７４が挿入される挿入口となる。端部８２ａ，８４ａの両側に連続し前面３２ｆに達する各々一対の側縁部８２ｂ，８４ｂの裏面には、係合部である雄形部脚部７４の係合突起７８が係合される被係合部８８が各々突出して設けられている。被係合部８８は、端部８２ａ，８４ａから挿入された一対の雄形部脚部７４を、深く挿入するほど互いに近づく方向に弾性変形させる形状である。雄形部脚部７４を深く挿入し、被係合部８８を通過すると雄形部脚部７４の弾性変形が復元し、雄形部脚部７４の係合突起７８が、被係合部８８の前面３２ｆ側の部分に係合され、抜けなくなる。また、上面部８２と下面部８４に設けられて互いに対向する被係合部８８の間は、離間して雄形部脚部７４の薄肉部７６が相通されるスリット９０となる。上面部８２と下面部８４の間には、薄い連結壁部９２が設けられて互いに連結されている。連結壁部９２は薄いため、雄形部脚部７４との係合の支障とならない。
【００５１】
次に、スライドファスナー用連結具６８の使用方法について説明する。スライドファスナー用連結具６８の雄部材７０と雌部材７２を、ファスナ本体１６のスライダー１８に弾性変形により各々取り付ける。取付方法は、第一実施形態と同様である。スライダー１８の引手取付部２４には引手２２が取り付けられ、雄部材７０または雌部材７２の透孔３４から外側に引き出され、操作可能である。
【００５２】
図１３に示すように、ファスナ本体１６に一対のスライダー１８が２個取り付けられ、一方のスライダー１８に雄部材７０を取り付け、他方のスライダー１８に雌部材７２を取り付ける。雄部材７０の雄形部脚部７４が、雌部材７２の上面部８２と下面部８４の間の収容空間８６に対向する。そして、一対のスライダー１８を近づけ、雄部材７０の雄形部脚部７４が雌部材７２の収容空間８６に差し込まれ、一対の雄形部脚部７４が被係合部８８にガイドされ弾性変形して互いに近づく。被係合部８８を通過した後、雄形部脚部７４の弾性変形が復元し、被係合部８８に係合され引抜不可となる。これにより、一対のスライダー１８は互いに連結される。この時、一対の雄形部脚部７４の、前面３２ｆに近い部分の側縁部は雌部材７２のスリット９０の外側に位置している。一対のスライダー１８の連結を解除する時は、雌部材７２のスリット９０の外側に位置する雄形部脚部７４の側縁部を互いに近づけるように押す。雄形部脚部７４は弾性変形して被係合部８８から離れ、収容空間８６から引き抜可能となり、連結を解除する。
【００５３】
この実施形態のスライドファスナー用連結具６８によれば、上記実施の形態と同様の効果を有するものである。雄部材７０と雌部材７２により係合と係合解除を行うため、着脱操作が容易であり、また係合強度が高い。
【００５４】
なお、この発明のスライドファスナー用連結具は、上記実施の形態に限定されるものではなく、既存のスライダーに容易に着脱可能に取り付けることができ、簡単な操作で一対のスライダーを互いに連結可能にしたり、スライダーに容易に他の機能を付加したりすることができるものであれば良い。さらに、係合凸部と係合溝部の形状は適宜変更可能であり、例えば、係合凸部４４は、上部３２の側縁部３２ａ、下部３８の側縁部３８ｃ、及び連結部３６の少なくともいずれかから外側に突出する形状であれば良く、確実に着脱可能で連結強度が高いものであれば適宜変更可能である。スライダーに取り付ける上部と下部の形状は、スライダーにあわせて適宜変更することができる。
【符号の説明】
【００５５】
１０，６０，６４，６５，６８  スライドファスナー用連結具
１２  ファスナーテープ
１４  ファスナーエレメント
１６  ファスナ本体
１８  スライダー
２０  胴体
２０ａ  上翼板
２０ｂ  下翼板
３２  上部
３２ａ，３８ｃ  側縁部
３４  透孔
３６  連結部
３７  凹部
３８  下部
４４  係合凸部（係合部）
４４ａ  大径部
４６  係合溝部（被係合部）
６２  持手形カバー部
６６  平坦形カバー部
７４  雄形部脚部
７８  係合突起（係合部）
８６  収容空間
８８  被係合部
【図１】
2020074939.tif 000003
【図２】
2020074939.tif 000004
【図３】
2020074939.tif 000005
【図４】
2020074939.tif 000006
【図５】
2020074939.tif 000007
【図６】
2020074939.tif 000008
【図７】
2020074939.tif 000009
【図８】
2020074939.tif 000010
【図９】
2020074939.tif 000011
【図１０】
2020074939.tif 000012
【図１１】
2020074939.tif 000013
【図１２】
2020074939.tif 000014
【図１３】
2020074939.tif 000015
【図１４】
2020074939.tif 000016
【図１５】
2020074939.tif 000017